(57)【特許請求の範囲】
【請求項１】
前面板の裏側に打球供給皿において一列に整列されたパチンコ球を導き出す供給通路と、前記供給通路の終端部に臨んで前記パチンコ球の流下を阻止しかつ自在に回動し該パチンコ球を１個ずつ受け入れて発射レールの発射位置に送り出す球送り部材と、を備えてなるパチンコ機の打球供給装置において、
前記打球供給装置は前記供給通路が形成される本体部と該供給通路の開放側面を塞ぐ側板部との二部材で構成されるケース体を有し、前記球送り部材は前記本体部に突設した横軸に挿通され、前記球送り部材に係止片を設けると共に前記本体部に該球送り部材が下方へ回動した状態で該係止片に係合する係合部を設けたことを特徴とするパチンコ機の打球供給装置。
【請求項２】
前記係止片と係合部とは、前記球送り部材を前記供給通路のパチンコ球の流下を阻止する位置に位置決めするストッパーとしても兼用できるようにした請求項１記載のパチンコ機の打球供給装置。
【発明の詳細な説明】
【０００１】
【発明の属する技術分野】
本発明は、パチンコ機において打球供給皿から流出させたパチンコ球を発射レールの発射位置へ１個ずつ供給する打球供給装置に関するもので、特に該打球供給装置の本体部に揺動自在に軸支させる球送り部材の脱落防止構造に関するものである。
【０００２】
【従来の技術】
従来のパチンコ機における打球供給装置は、球送り部材をケース体の本体部の横軸に揺動自在に軸支させたものが知られている。
そして、前記球送り部材は該横軸の先端にＥリングを嵌着させたり、又は該横軸の先端を本体部に被着するカバー体で衝止させたりして抜け止めをしている。
【０００３】
【発明が解決しようとする課題】
しかしながら、前記のような球送り部材の抜け止めでは、前者のＥリングを使うものでは当然Ｅリングが必要であり、そのコストが掛かる上にＥリングの取り付けに手間が掛かる課題がある。又、後者の横軸の先端をカバー体で衝止させる場合は、供給通路の掃除をする際にカバー体を外して行なうために球送り部材が横軸から外れたりして作業性が悪いといった課題があった。
そこで本発明はこのような従来技術にみられる課題を解決することができる、パチンコ機の打球供給装置を提供するものである。
【０００４】
【課題を解決するための手段】
かかる目的を達成するために本発明は、前面板の裏側に打球供給皿において一列に整列されたパチンコ球を導き出す供給通路と、前記供給通路の終端部に臨んで前記パチンコ球の流下を阻止しかつ自在に回動し該パチンコ球を１個ずつ受け入れて発射レールの発射位置に送り出す球送り部材と、を備えてなるパチンコ機の打球供給装置において、前記打球供給装置は供給通路が形成される本体部と該供給通路の開放側面を塞ぐ側板部との二部材で構成されるケース体を有し、球送り部材は本体部に突設した横軸に挿通され、球送り部材に係止片を設けると共に本体部に該球送り部材が下方へ回動した状態で該係止片に係合する係合部を設けるようにした。
【０００５】
また、前記係止片と係合部とは、球送り部材を供給通路のパチンコ球の流下を阻止する位置に位置決めするストッパーとしても兼用できるようにすることが好ましい。
【０００６】
【発明の実施の形態】
以下に本発明に係わるパチンコ機の打球供給装置の実施の形態を図面と共に説明する。図１はガラス扉枠及び前面板を開放した状態のパチンコ機の下部部分の斜視図、図２は前面板から打球供給装置を取外した状態の斜視図である。図において１はパチンコ機の前面枠、２は前面枠１の後面に着脱自在に装着される遊技盤であって、該遊技盤２の右下側に発射レール３が装着されている。４は発射レール３の発射位置５に先端が臨む打球杆、６は発射レール３の前面を覆う前面板であって、遊技盤２の上方部を覆うガラス扉枠７と共に前面枠１の窓孔の一側に開閉自在に装着されている。前記前面板６の表面にはパチンコ球払出装置（図示せず）から払い出されたパチンコ球を貯留し、そのパチンコ球を後述する打球供給装置１１に供給する打球供給皿８が設けられている。また、前面枠１の下部には打球供給皿８に充満してオーバーフローするパチンコ球を貯留する下部球受皿９及び発射位置５から発射されるパチンコ球の弾発力を調節する操作ハンドル１０が設けられている。
【０００７】
前記前面板６の裏面には打球供給装置１１が組み込まれる箱枠１２が装着され、該箱枠１２の下部に設けられた空間部１２ａに打球供給装置１１が組み込まれる。この打球供給装置１１は、図３に示すようにケース体１３と球送り部材１４とからなる。
ケース体１３は、側壁に前記前面板６に開設された上部通孔６ａから流出するパチンコ球を受け入れる導入口１５が開設され、該導入口１５に連通させてパチンコ球を一列に整列して導く供給通路１６が形成された本体部１３ａと、前記供給通路１６の開放側面を塞ぐ側板部１３ｂとの二部材で構成されている。またこのケース体１３は、側板部１３ｂに設けた位置決め突起１７，１７を本体部１３ａのボス孔１８，１８に嵌合し、側板部１３ｂを本体部１３ａに突設した弾性係止片１９に係止することで一体化される。
【０００８】
一方、球送り部材１４は自然状態では後述する連動レバー２０と係合する係合腕２１側が下がるように重心が置かれるように位置させて軸孔２２を貫設する。さらにこの軸孔２２より重錘２３寄りで球送り部材１４の係合腕２１下辺に、本体部１３ａの側壁前面に近接させて係止片２４を形成する。一方、本体部１３ａの側壁前面に前記係止片２４を係脱自在に係合させる係合部２５を突設する。この係合部２５は側面Ｌ形状をなしており、図６及び図７に示すように球送り部材１４がほぼ水平に回動した位置で係止片２４が係合部２５に係合するように位置を設定して設けられる。
【０００９】
そして、球送り部材１４は図４実線に示すように、供給通路１６の終端部に下方から臨んで最先のパチンコ球を受け止める球止部２６と、該球止部２６で受け止めたパチンコ球を受け入れる凹弧面をなす球受部２７を設ける。なお、球受部２７の球受面はパチンコ球が側板部１３ｂ側に転がるように傾斜面に形成されている。また、側板部１３ｂには球送り部材１４が水平状に回動したとき、球受部２７に受け入れたパチンコ球を発射レール３の発射位置５に送り出す供給口２８が開設されている。
【００１０】
前記球送り部材１４は図５に示すように係合腕２１を上向にした状態で軸孔２１を横軸２９に嵌挿して、嵌挿した状態で手を放すと球送り部材１４は自重と重錘２３の重みで図６の位置に下向回動して、図７に示すように係止片２４が係合部２５に係合して抜け止めされる。
【００１１】
また、図６に示すように係止片２４が係合部２５に係合した状態は、球送り部材１４の脱落を防止するのと同時に、球送り部材１４の先端に設けた球止部２６が供給通路１６の終端部に位置する最先のパチンコ球の流下を阻止する位置にくるように位置決めをするストッパーの役割も果たすように設定されている。
【００１２】
前記連動レバー２０は打球杆４の回動に連動して球送り部材１４を上方に回動させるもので逆Ｌ形状に形成される。そしてその折曲部が遊技盤取付枠の前側面に突設した軸３０に回動自在に軸支されるもので、これの押上部３１が球送り部材１４の係合腕２１下面に当接可能なように置かれる。また、軸支部から下方に垂下するレバー部３２が打球杆４に固着れた引掛杆３３と係合可能なようになっている。
【００１３】
次にこのように構成した本発明の打球供給装置１１の作用を説明する。打球供給皿８に貯留されるパチンコ球は一列に整列されながら前面板６の上部通孔６ａを通って導入口１５から本体部１３ａ内の供給通路１６に流入し、図４に示すように球送り部材１４の球止部２６に当接して供給通路１６内に連続して待機する。
この状態で遊技者のハンドル操作により打球杆４が図４鎖線のように発射準備位置に回動されると引掛杆３３によって連動レバー２０のレバー部３２が引き寄せられて該連動レバー２０が軸３０を支点にして上向回動し、これの押上部３１が球送り部材１４の係合腕２１側を押し上げる。このため球送り部材１４が横軸２９を支点にして図４鎖線の位置へ回動し、球止部２６に当接して流下が阻止されていた最先のパチンコ球を球受部２７に受け入れる。
【００１４】
そして、この状態で打球杆４が図４実線で示す発射動作位置に回動すると、球送り部材１４は連動レバー２０の押上部３１による押し上げ動作から解放されて、自重と重錘２３の重みで横軸２９を支点にして水平位置に下向回動し、球受部２７に受け入れたパチンコ球を供給口２８から発射レール３の発射位置５に送り出す。同時に後続する供給通路１６のパチンコ球を球止部２６で受け止めるもので、その後は打球杆４の往復回動ごとに供給通路１６の終端部に位置する最先のパチンコ球が１個ずつ発射レール３の発射位置５に供給される。
【００１５】
図８は他の実施の形態を示すもので、球送り部材１４の凹曲面をなす球受部２７の側面に、本体部１３ａの側壁前面に向って係止片２４を突出させて設け、該係止片２４は軸部２４ａと係止部２４ｂを側面Ｌ形状に形成している。一方、本体部１３ａの側壁に図９鎖線のように球送り部材１４を傾斜させた状態で、係止片２４が対向する位置に該係止片２４の係止部２４ｂが嵌挿可能な角孔３４を設け、さらに該角孔３４に連通させて横軸２９を中心とした左下り円弧形の溝３５を設け、この角孔３４と溝３５とで係合部２５を構成している。
【００１６】
この実施の形態のものは、図９鎖線のように球送り部材１４を係合腕２１を上向に傾けた状態で、ケース体１３の本体部１３ａに突設した横軸２９に軸孔２２を嵌挿させて係止片２４の係止部２４ｂを角孔３４に挿通させる。この状態で手を放すと球送り部材１４は自重と重錘２３の重みで係止片２４の軸部２４ａが溝３５を摺動して図９実線の位置へ移動して図１０に示すように係止部２４ｂが本体部１３ａの側壁に衝止され抜け止めされる。
同時に係止片２４の軸部２４ａが溝３５の終端で停止することにより、球送り部材１４の先端に設けた球止部２６が供給通路１６の終端部に位置する最先のパチンコ球の流下を阻止する位置に止まるように位置決めを行なわせる。
【００１７】
また、図１１はさらに他の実施の形態を示すもので、球送り部材１４の球止部２６に、本体部１３ａの側壁前面に向って係止片２４を突出させて設け、該係止片２４は軸部２４ｃと係止部２４ｄを側面Ｌ形状に形成している。一方、本体部１３ａの側壁に図１２鎖線のように球送り部材１４を傾斜させた状態で、係止片２４が対向する位置に該係止片２４の係止部２４ｄが嵌挿可能な角孔３４を設け、さらに該角孔３４に連通させて横軸２９を中心とした上向き円弧形の溝３５を設け、この角孔３４と溝３５とで係合部２５を形成している。
【００１８】
この実施の形態のものは、図１２鎖線のように球送り部材１４を係合腕２１を上向に傾けた状態で、ケース体１３の本体部１３ａに突設した横軸２９に軸孔２２を嵌挿させて係止片２４の係止部２４ｄを角孔３４に挿通させる。この状態で手を放すと球送り部材１４は自重と重錘２３の重みとで係止片２４の軸部２４ｃが溝３５内を摺動して図１２実線位置へ移動して図１３に示すように係止部２４ｄが本体部１３ａの側壁に衝止され抜け止めされる。
同時に係止片２４の軸部２４ｃの上端が溝３５の終端で衝止され、球送り部材１４の球止部２６が供給通路１６の終端部に位置する最先のパチンコ球の流下を阻止する位置に止まるように位置決めを行なわせる。
【００１９】
前記した各実施の態様で説明したように係止片２４は、本体部１３ａの側壁前面に対向する位置で球送り部材１４の回動動作を妨げなければ球送り部材１４のどの位置に設けてもよい。
そして、本体部１３ａに設ける係合部２５の位置は、球送り部材１４の球止部２６が供給通路１６の終端部に位置する最先のパチンコ球の流下を阻止する位置で係止片２４と係合するように設ければ他にストッパーを設けなくても位置決めストッパーとしての役割も果たす。
【００２０】
【発明の効果】
以上に述べたように本発明に係るパチンコ機の打球供給装置は、供給通路が形成される本体部と該供給通路の開放側面を塞ぐ側板部との二部材で構成されるケース体を有し、球送り部材は本体部に突設した横軸に挿通され、球送り部材に係止片を設けると共に本体部に該球送り部材が下方へ回動した状態で該係止片に係合する係合部を設けるようにしたので、本体部に対して球送り部材が脱落するのが防止され、打球供給装置の組み立てが簡単にできる。さらに、係止片と係合部との係合と同時に球送り部材を前記供給通路のパチンコ球の流下を阻止する位置に位置決めするストッパーとしての働きが達成される利点を有する。
【図面の簡単な説明】
【図１】  ガラス枠及び前面板を解放した状態のパチンコ機の下部斜視図。
【図２】  前面板から打球供給装置を取外した状態の斜視図。
【図３】  打球供給装置の分解斜視図。
【図４】  打球供給装置の断面正面図。
【図５】  球送り部材の軸孔を横軸に嵌挿した状態の正面図。
【図６】  球送り部材の脱落防止と位置決めをした状態の正面図。
【図７】  図６の側面断面図。
【図８】  他の実施の形態に係わる分解斜視図。
【図９】  同断面正面図。
【図１０】  同要部側面断面図。
【図１１】  他の実施の形態に係わる分解斜視図。
【図１２】  同断面正面図。
【図１３】  同要部側面断面図。
【符号の説明】
１        前面枠
３        発射レール
５        発射位置
６        前面板
８        打球供給皿
１１      打球供給装置
１３ａ    本体部
１４      球送り部材
１６      供給通路
２２      軸孔
２４      係止片
２５      係合部
２９      横軸
【図１】
0003944259.tif 000002
【図２】
0003944259.tif 000003
【図３】
0003944259.tif 000004
【図４】
0003944259.tif 000005
【図５】
0003944259.tif 000006
【図６】
0003944259.tif 000007
【図７】
0003944259.tif 000008
【図９】
0003944259.tif 000009
【図８】
0003944259.tif 000010
【図１０】
0003944259.tif 000011
【図１２】
0003944259.tif 000012
【図１１】
0003944259.tif 000013
【図１３】
0003944259.tif 000014